(57)【特許請求の範囲】
【請求項１】
水門であって、
前記水門は、開位置と閉位置との間に移動可能に構成されたパネルを含み、
前記開位置で、前記パネルは、洪水に対して障壁を形成し、
前記水門は、前記パネルに結合された第１の伸縮可能な部材および第２の伸縮可能な部材を含み、
前記パネルを少なくとも１つのヒンジの回りに前記閉位置から前記開位置に向かって移動させる力を加え、
前記水門は、前記パネルが前記閉位置から前記開位置に向かって移動させられるときに、前記第１の伸縮可能な部材を停止させ、かつ、第１の伸縮可能な部材を前記パネルから離脱させるように動作可能である不活性化機構を含み、
これにより、前記パネルに対して前記第１の伸縮可能な部材により加えられる力を止め、
前記パネルが前記開位置から前記閉位置に向かって移動させられるときに、前記パネルは、前記パネルに対して前記第１の伸縮可能な部材により加えられる力なしで移動させられる、
水門。
【請求項２】
前記不活性化機構は、前記パネルが前記閉位置と前記開位置との間の所定の位置に持ち上げられたときに、前記第１の伸縮可能な部材を停止させるように動作可能である請求項１の水門。
【請求項３】
前記第１および第２の伸縮可能な部材の各々は、ガスストラットを含む請求項１または２の水門。
【請求項４】
前記水門は、前記パネルに配置された安全機構をさらに含み、前記パネルが前記開位置から前記閉位置に向かって移動する速度を低減する請求項１から３のうちいずれか１項の水門。
【請求項５】
前記安全機構は、第３の伸縮可能な部材を含み、前記パネルが前記閉位置に向かって移動されたときに、前記パネルに対して力を加えるように付勢される請求項４の水門。
【請求項６】
前記第３の伸縮可能な部材は、前記第１の伸縮可能な部材である請求項５の水門。
【請求項７】
前記第３の伸縮可能な部材は、ガスストラットを含む請求項５または６の水門。
【請求項８】
前記安全機構は、前記パネルに対して力を加えるように動作可能であり、前記パネルを中間位置で支持する請求項４から７のうちいずれか１項の水門。
【発明の詳細な説明】
【技術分野】
【０００１】
本発明は、水門に関する。
【背景技術】
【０００２】
洪水（例えば、増加した降雨による）は、財産、インフラ、および経済に広範な損害を引き起こす可能性がある。水門（または洪水防壁）は、既存の排水システムに加えて、洪水をインフラ（例えば、建物、または地下駐車場）に入ることから防ぐための効果的な対策である。具体的には、洪水時に、パネル型の水門は、インフラを洪水の水の侵入から保護するための障害物を形成するために建設される。例えば、水門は、特許文献１に記載される。これは、水門パネルを閉位置から開位置へ移動するために力を加えるガスストラットを使用する。具体的には、ガスストラットは、パネル（通常は非常に重い）を所定の位置に持ち上げ保持するために十分大きな力を発揮する。
【先行技術文献】
【特許文献】
【０００３】
【特許文献１】国際出願ＳＧ２０１０／０００３７６
【発明の概要】
【発明が解決しようとする課題】
【０００４】
しかしながら、水門は、特に、ビル火災などのような脱出の場合には、その使用時の安全上のリスクを負わせる可能性がある。そのような状況では、建設された水門パネルは、建物の出口を塞いで退避プロセスを妨げるかもしれない。
【０００５】
したがって、上記の懸念に対処するための改良された水門を提供することが望ましい。
【課題を解決するための手段】
【０００６】
一般的に、本発明は、水門パネルを閉位置から開位置に向かって移動させるための複数の伸縮可能な部材を有する水門を提案し、伸縮可能な部材のうちの少なくとも１つは、伸縮可能な部材によりパネルに加えられる力がパネルの閉鎖の間に低減されるために、不活性化するように操作可能である。これは、水門パネルを開位置から閉じるために、はるかに小さい力のみ必要とする。したがって、インフラ内の人々は、特に緊急の場合には、外部へのアクセス得ることが可能になる。
【０００７】
具体的には、本発明の一態様では、パネルが洪水に対する障壁を形成する開位置（典型的には、必ずしも必要ではないが、垂直または使用中に実質的に垂直）で、開位置と閉位置との間で移動可能に構成されたパネルを有する水門が設けられる。水門は、パネルを少なくとも１つのヒンジの回りに閉位置から開位置に向かって移動させる力を加えるパネルに結合された第１および第２の伸縮可能な部材をさらに有し、パネルが閉位置から開位置に向かって移動する場合に、不活性化機構は、第１の伸縮可能な部材を作動不可能に操作可能である。これにより、パネルが開位置から閉位置に向かって移動する場合に、第１の伸縮可能な部材によりパネルに加えられる力を低減することができる。これは、パネルを閉鎖することが望まれる場合（すなわち、パネルを開位置から閉位置に向かって移動させる）に、小さな力がパネルに対して押圧する伸縮可能な部材により加えられる力に対抗するために必要であるため、有利である。例えば、これは、居住者を簡単かつ便利に集めることによりパネルを手動で閉じることを可能にし、これにより、緊急の場合に避難のための出口を提供することができる。さらに、水門パネルは、電力供給を必要とせずに、手動で操作する（開閉の両方）ことが可能であり、電力供給は、豪雨または洪水の間切断することができる。
【０００８】
一実施形態では、不活性化機構は、第１の伸縮可能な部材が、パネルが開位置から閉位置に向かって移動する場合に、パネルに対して力（力を低減することと比較して）を加えることを止めさせるように操作可能である。例えば、不活性化機構は、第１の伸縮可能な部材をパネルから解放するように動作する。例えば、第１の伸縮可能な部材が、ガスストラットである場合に、不活性化機構は、パネルに取り付けたガスストラットの一端をガスストラットから切り離すように構成することができる。
【０００９】
一実施形態では、不活性化機構は、閉位置と開位置との間の所定の位置まで上昇されて、第１の伸縮可能な部材をパネル上にパネルから離脱させる。所定の位置は、開位置から１０度または５度未満の位置のように開位置に接近していてもよい。例えば、パネルが地面から約８５度までの位置に上昇した場合（水門がほぼ水平地面領域に設置されている場合）。この場合、例えば、第１の伸縮可能な部材は、パネルへの取り付けが不活性化機構により解放された後に、重力の影響下で水門のフレームの地面領域またはその付近に落下することにより、単にパネルから離脱することができる。
【００１０】
一実施形態では、水門は、第１の伸縮可能な部材を複数有することができる。例えば、２個のガスストラットは、第２の伸縮可能な部材の周りに対称的にパネル上に配置することができる。これは、パネルに加えられる力の低下が、パネルから離脱されている２個のガスストラットを容易にバランスさせることを可能にする（それらは前に解放されたパネルに対して加えられた同じ量の力を発揮している場合）。
【００１１】
好ましくは、水門は、パネルが開位置から閉位置に向かって移動する速度を減少させるためにパネルとともに配置された安全機構をさらに含む。これは、パネル（通常は非常に重い）の任意の突然の閉鎖を防ぎ、結果として人々への潜在的な負傷のリスクを低減する。例えば、これは、パネルが誤っておよび／または突然閉鎖された場合に、水門（特に、パネルが閉位置にある場合に、ヒンジから遠位のフレームの縁の近くなど、水門のベースフレームの近くのもの）に隣接して立っている人が押しつぶされるのを防ぐ。
【００１２】
一実施形態では、安全機構は、パネルが閉位置に向かって移動したときに、パネルに力を加え付勢されるように動作可能な第３の伸縮可能な部材を含む。例えば、第３の伸縮可能な部材は、パネルに取り付けられた第１の端部と、パネルが閉位置に向かって移動したときにキャッチと接触する第２の端部を有するガスストラットを含むことができる。
【００１３】
一実施形態では、安全機構は、パネルを中間位置で支持するためにパネルに対して力を加えるように動作可能である。例えば、ガスストラットが付勢されると（例えば、パネルとキャッチとの間で圧縮される）、ガスストラットによりパネル前端面に力が加えられ、それにより、パネルが完全に閉じられる前にパネルを適所に保持する。次いで、手動で力を加える（例えば、成人の体重により、パネル上を踏み込む）ことによりパネルを完全に閉じることができる。これにより、偶発的なパネルの閉鎖の結果としての傷害および／または損傷のリスクをさらに低減するために、パネルが２つのステップのアクションにより閉じられることが保証される。重要なことは、これは、パネルの閉鎖を開始するのに必要な力の量が減少することにより生じる可能性のある安全上の懸念を補償することである。
【００１４】
本発明の可能な実施形態を示す添付の図面に関して本発明をさらに説明することは都合がよいであろう。本発明の他の実施形態が可能であり、その結果、添付の図面の細部は、本発明の前述の説明の一般性に取って代わるものとして理解されるべきではない。
【図面の簡単な説明】
【００１５】
【図１（ａ）】実施形態に係る水門を閉状態および開状態（すなわち、水門パネルを立てた状態）で示す斜視図である。
【図１（ｂ）】実施形態に係る水門を閉状態および開状態（すなわち、水門パネルを立てた状態）で示す斜視図である。
【図２（ａ）】開いた状態の水門の上面図である。
【図２（ｂ）】図２（ａ）の軸線Ｃ−Ｃに沿った開状態の水門の断面図である。
【図３（ａ）】閉状態の水門の上面図である。
【図３（ｂ）】図２（ａ）の軸線Ａ−Ａに沿った閉状態の水門の断面図である。
【図３（ｃ）】図２（ａ）の軸線Ｃ−Ｃに沿った閉状態の水門の断面図である。
【図４（ａ）】図２（ｂ）の軸線Ｄ−Ｄから見て、水門の第１の伸縮可能な部材を停止させる工程を示す水門の断面図である。
【図４（ｂ）】図２（ａ）の軸線Ｃ−Ｃから見て、水門の第１の伸縮可能な部材を停止させる工程を示す水門の断面図である。
【図４（ｃ）】図４（ａ）の水門の斜視図である。
【図５】第１の伸縮可能な部材を不活性化する工程の直後の、水門の第１伸縮可能な部材を示す。
【図６】図４（ａ）および図４（ｂ）に示す第１の伸縮可能な部材を停止させる工程の後に、一実施形態に係る水門を開位置まで上昇させた状態をしめす。
【図７（ａ）】一実施形態による、水門パネルが開位置にあるときに示される指示標識を示す。
【図７（ｂ）】一実施形態による、水門パネルが開位置にあるときに示される指示標識を示す。
【図７（ｃ）】一実施形態による、水門パネルが開位置にあるときに示される指示標識を示す。
【図７（ｄ）】一実施形態による、水門パネルが開位置にあるときに示される指示標識を示す。
【図８】パネルが開位置に向かって移動されるときの、図２（ａ）の軸Ｃ−Ｃに沿った水門の断面図である。
【図９（ａ）】パネルが中間位置（図９（ａ））から閉位置（図９（ｂ）に向かって移動するときの、図６の軸線Ｘ−Ｘに沿った水門の切断図である。
【図９（ｂ）】パネルが中間位置（図９（ａ））から閉位置（図９（ｂ）に向かって移動するときの、図６の軸線Ｘ−Ｘに沿った水門の切断図である。
【図１０（ａ）】一実施形態に係る水門システムの閉状態および開状態の上面図である。
【図１０（ｂ）】一実施形態に係る水門システムの閉状態および開状態の上面図である。
【図１０（ｃ）】図（ｂ）のＣ部の拡大図である。
【図１１（ａ）】図１０（ａ）のＡ−Ａ線から見た、水門システムの第１の伸縮可能な部材を停止させる工程を示す水門システムの斜視図である。
【図１１（ｂ）】図１０（ａ）のＡ−Ａ線から見た、水門システムの第１の伸縮可能な部材を停止させる工程を示す水門システムの斜視図である。
【図１２】閉状態にある水門システムの後方非等角図である。
【図１３（ａ）】（ａ）完全起立位置と閉鎖位置との間の所定の位置、および（ｂ）完全起立位置における水門の斜視図である。
【図１３（ｂ）】（ａ）完全起立位置と閉鎖位置との間の所定の位置、および（ｂ）完全起立位置における水門の斜視図である。
【図１４（ａ）】（ａ）中間位置および（ｂ）閉位置における水門の斜視図である。
【図１４（ｂ）】（ａ）中間位置および（ｂ）閉位置における水門の斜視図である。
【図１４（ｃ）】図１４（ａ）のＹ−Ｙ軸に沿った水門の切断図である。
【発明を実施するための形態】
【００１６】
図１（ａ）および図１（ｂ）は、洪水の侵入を防止するために建物入り口に設置された水門１００を示す。この例では、建物の入り口は、固定グレージングまたは壁１の回りに回動可能な少なくとも１つの扉１ａを有する石積み壁１として設けられる。図１（ａ）は、閉位置の水門１００を示し、水門１００は、通常の使用中に歩行者の妨げとならない通路として機能するために、地面または建物の床２と同一平面上にある。図１（ｂ）は、開位置の水門１００を示し、水門１００のパネル１０２は、起立し（例えば、完全に垂直位置に）、それにより、洪水の侵入に対する障壁を形成する。パネル１０２は、コンクリート、タイル張り、またはフロアマット仕上げであってもよい。
【００１７】
図２（ａ）〜図２（ｂ）および図３（ａ）〜図３（ｃ）に示すように、水門１００は、パネル１０２をヒンジ１０４（ＳＵＳ３０４ヒンジのような）を中心として開状態と閉状態との間で移動させるために、ガスストラット１１０、１２０を含む。２つのガスストラット１１０は、パネル１０２の縁部１０２ａ、１０２ｂの近くに力を加えるように、パネル１０２の２つの対向する側縁部１０２ａ、１０２ｂにそれぞれ隣接して配置される。シーリング要素１０３は、パネル１０２の縁部１０２ａ、１０２ｂに近接して位置するそれぞれの物体（隣接する水門のパネルの縁部）と密接に接触するように、縁部１０２ａ、１０２ｂに沿って延びるパネル１０２の縁部１０２ａ、１０２ｂに、設けられる。この例では、パネル１０２は、起立位置にある場合に、扉１ａ（壁またはドアフレームの縁部）の光沢のあるフィンを有する水密シールを形成する。シーリング要素１０３ｂ（図４（ｃ）、図９（ａ）および図９（ｃ））は、パネル１０２が旋回し、その反対側の縁部（すなわち、ヒンジおよびヒンジ軸に平行に遠位にあるパネルの縁部）に、パネル１０２の端部に沿って、水門パネルの他の部分に設けられてもよい。さらに、シーリング要素１０３ｃ（図１４（ｃ）参照）は、水門１００と設置位置との間の水密を維持するために、ベースフレーム１０６の一部または全ての部分に設けられてもよい。上記の例では、シーリング要素１０３ａ、１０３ｂ、１０３ｃは、加硫性コルゲートＥＰＤＭシールである。他のガスストラット１２０は、パネル１０２の中心線に沿って力が加えられるパネル１２０に配置される。ガスストラットのそれぞれは、圧縮構成と拡張構成との間の相対的に摺動可能（例えば、伸縮運動により）である細長部材（通常２つの要素）のセットである。ガスストラットは、圧縮されて構成された状態で圧縮され、ガスストラットを拡張構成に付勢する閉じ込められた量のガスを含み、特許文献１に記載されており、その全内容は、参照により本明細書に組み込まれる。
【００１８】
ガスストラット１１０、１２０のそれぞれは、パネル１０２を閉位置から開位置に移動させるように構成される。ガスストラット１１０、１２０のそれぞれは、ピストンの形態の第１の部分およびシリンダの形態の第２の部分とを含む。シリンダは、気体で満たされ、ピストンは、シリンダ内で移動可能である。パネル１０２が閉位置にロックされると、ガスストラット１１０、１２０のそれぞれは、最小長さにあり、それぞれのガスストラット内のガスは、加圧されるかまたは付勢される。この圧力は、閉じたパネル１０２に対して加えられる力をもたらす。パネル１０２は、電磁（ＥＭ）ロックのようなロック部材４により閉位置にロックすることができる。例えば、ＥＭロック４は、ロック状態とアンロック状態との間で切り換え可能に構成され、ＥＭロック４が作動すると、ＥＭロックは、閉位置にロックし、ＥＭロックが不活性化されるかまたは解除されると、パネル１０２は、ガスストラット１１０、１２０により加えられる力の結果として、開位置に向かって移動する。２つ以上のロック部材を使用することができる。
【００１９】
水門が開かれると、パネル１０２は、アンロックされ、ガスストラット１１０、１２０は、パネル１０２に対して力を加えてパネル１０２に押しつけ、それにより、パネル１０２を開位置に向かって移動させる。この例では、ガスストラットの２つの対向する端部がそれぞれパネル１０２および地面に接続される（水門１００のベースフレームを介して）。ベースフレーム１０６は、アルミニウムベースフレームであってもよい。ベースフレーム１０６により画定された内部空間は、コンクリート充填物を含むことができる。ガスストラット１１０、１２０のそれぞれにより加えられる力の要求される大きさは、パネルの重量に依存する。言い換えれば、より重いパネル（例えば、地下駐車場の入り口に水門を設置する場合など、より高い重量の交通に耐えることがより強い）は、典型的には、パネル１０２を移動させるためのガスストラットにより加えられるべきより大きな力を必要とする。
【００２０】
いくつかの実施形態では、パネル１０２の開位置から閉位置への移動を補助するために、回転駆動部１０５（例えば、管状駆動部）が設けられている。一例では、回転駆動部１０５は、パネル１０２の一端に取り付けられ、ロープ１０９を介してベースフレーム１０６に接続される。使用時には、回転駆動部１０５が回転すると、パネルは、ロープ１０９を介して加えられる力の結果として、閉位置に向かって移動する。回転駆動部１０５は、電気的に動力を供給されてもよい。回転駆動部１０５は、必須ではなく、任意であることに留意されたい。水門の使用のための回転駆動部は、特許文献１に記載されており、その全内容は参照により本明細書に組み込まれる。図４（ａ）〜図４（ｃ）に示すように、ガスストラット１１０、１２０がパネル１０２を開位置に向かって移動させるので、不活性化機構が動作して、ガスストラット１１０のそれぞれの一端をパネル１０２から離脱し、これにより、ガスストラット１１０がパネル１０２に対して力を加えることを停止する。この特定の例では、不活性化機構は、パネル１０２を、例えば、水平から約８０〜８５度のような所定の位置（図４（ｃ）に示す）に持ち上げている。これは、例えば、以下に説明するように、パネル１０２が所定の位置に持ち上げられたときに、自動的に引っ張って、ガスストラット１１０の一端をパネルから切り離すばね引っ張り抜き取りピンを設けることにより実施することができる。
【００２１】
図４（ａ）および図４（ｃ）の拡大図に示すように、ガスストラットフォークピン１１０ａは、ヒンジ長さ方向に平行に移動するようにパネルに取り付けられている。ガスストラットフォークピン１１０ａは、圧縮ばね１１１により、パネル１０２に取り付けられた抽出ハウジング１１３に対して、パネルに取り付けられたブラケット内のそれぞれのガイドスロット１１０ｃを通って延在する伸張位置に付勢され、パネル１０２をガスストラット１１０の上端に接続するように、ガスストラット１１０の上端の開口（例えば、ガスストラットフォーク）に付勢される（図４（ａ）の詳細Ｂ）。しかしながら、それらは、自動的に引っ込められ、そこに取り付けられたワイヤ１０８ａが引っ張られるとガスストラット１１０とパネル１０２との間の係合を解除する（図４（ａ）の詳細Ａ）。ガスストラットフォークピン１１０ａおよびワイヤ１１８ａは、スナップリンクにより接続されてもよい。ワイヤ１０８ａは、破損することなくガスストラットフォークピンを後退させる力に耐えるように構成された任意のタイプのワイヤであることができる。例えば、ワイヤ１０８ａは、直径４ｍｍのステンレス鋼ワイヤロープ（例えば、Ｍ４ＳＵＳ３０４ワイヤロープ）であることができる。図４（ｃ）に示すように、ワイヤ１０８ａの一端は、ガスストラットフォークピン１１０ａに取り付けられ、他端は、ベースフレーム１０６または地面に、ワイヤ１０８ａをガイドするために任意にガイド１０８ｂ（ガイドバーなど）を介して、接続される。したがって、パネル１０２が閉位置から上昇すると、パネルと地面との間の距離が増大するにつれて、ワイヤ１０８ａが引っ張り力を受けるようになり、これにより、ガスストラットフォークピン１１０ａが、ガスストラット１１０がパネル１０２に係合する（または取り付けられる）スロット１１０ｃから引き込まれる。したがって、不活性化機構は、パネル１０２が開位置と閉位置との間の所定の位置まで上昇すると、ガスストラット１１０をパネル１０２から外すことができる。これは、例えば、ワイヤ１０８ａの長さおよび／または弾性を調整することにより達成することができる。ワイヤ１０８ａの長さを調整するために、制御部材１１５（リギングスエージおよび端子など）を設けてもよい。この例では、ワイヤ１０８ａは、ガスストラットピン１１０ａと地面とを直接接続する方向に沿ってではなく、パネル１０２に平行な方向に沿ってガスストラットピン１１０ａを引っ張るように構成される。これは、ワイヤ１０８ａを地面に接続する前に、パネル１０２上の接続構成要素１０７を介してワイヤ１０８ａをリダイレクトすることにより、達成することができる。接続要素１０７は、パネル１０２に対して任意の位置に配置され、ワイヤ１０８ａの引っ張り力を方向転換して、不活性化機構１０８の容易で効率的な操作を容易にする。この例では、接続要素１０７は、パネル１０２に取り付けられたローラ（またはプーリ）である。ローラは、ローラの両側にそれぞれ配置されたワイヤの２つのセグメントが互いに直交するように配置される。
【００２２】
図５に示すように、ガスストラットフォークピン１１０ａがパネル１０２にガスストラット１１０の取り付けを解放するために引かれると、ガスストラット１１０は、地面に向かって落下する（例えば、この場合、ベースフレーム１０６に落下する）。言い換えれば、ガスストラット１１０は、パネル１０２に対して力を加えるのを止める。パネル１０２は、ガスストラット１２０により持ち上げられ続け、完全に起立した位置（垂直または実質的に垂直）に保持される。パネル１０２を所定の位置から開位置まで引き上げ続けるために必要な力は、パネル１０２を閉位置から所定の位置まで上昇させるために必要とされるものより一般的にはるかに小さいため、ガスストラット１２０に要求される力は、そのままで十分である。したがって、パネルを開位置まで持ち上げ続けるためにガスストラット１２０のみ（３つのガスストラット１１０、１２０のすべてではなく）に頼ることが可能である（図６に示すように）。この例では、ガスストラット１２０は、ガスストラット１１０のそれぞれよりも小さい力を加えるように構成される。
【００２３】
あるいは、パネル１０２が完全に起立した位置（例えば、垂直または実質的に垂直）に持ち上げられたときに、ガスストラット１１０のそれぞれ一端をパネル１０２から切り離すように、不活性化機構を作動させるように構成することができる。その場合、ガスストラット１１０は、切断時にベースフレーム１０６または地面に自動的に落下することもあれば落下しないこともある。それにもかかわらず、パネル１０２のその後の閉鎖の間、ガスストラット１１０は、ガスストラットの端部が切断されているので、ガスストラット１１０は、パネルに対して力を加えるのを止めるであろう。一実施形態では、ガスストラット１１０は、パネル１０２が前方に押されて重力下でベースフレームに落下する。
【００２４】
パネル１０２は、パネル１０２が開位置にあるときに、パネル１０２を閉じるための指示指標を見せるように構成することができる。これは、図１（ｂ）および図７（ａ）〜図７（ｄ）に示す。ストラット１１０から離れたパネルの面（”外”面）にはフラップ１３５が設けられている。パネルが下降位置にあるとき、フラップ１３５は、パネルの外面の平面内にあり、符号１３６に対して平坦であるが、パネルが開位置に持ち上げられると、フラップ１３５は、重力により前方に折り畳まれて標識１３６を露出させる。
【００２５】
避難中にパネル１０２の閉鎖を開始するために、パネル１０２は、手動で前方に押されてもよい。ガスストラット１１０がパネル１０２から離脱するために（したがって、パネルに対して何らかの力を加えることを止めるので）、パネル１０２を閉じるために、ガスストラットの力に対抗するために必要な手動力は、はるかに小さくなる。一例では、水門パネル１０２を閉位置に向かって押す前方の力は、わずか２３５Ｎ（すなわち、２４ｋｇの重量）であるのに対して、水門パネル１０２を通常の窪んだ位置（すなわち、閉位置）から開く力は、水門パネルの重量が１７９ｋｇの場合１．０ｍ×１．０ｍ水門パネルに対して２９８３Ｎである。したがって、公共および／または建物の居住者は、公共の避難が必要な緊急事態の場合には、手動で水門パネル１０２を容易に倒潰させることができる。パネル１０２が開位置からずれると、パネルの重量は、ガスストラット１２０により加えられた力に対抗して徐々に引き継がれ、パネルを閉位置に向かって移動させ続ける。
【００２６】
パネル１０２を閉鎖する他の方法は、図４（ａ）の拡大図Ｂに示されている状態に戻す。すなわち、パネルは、所定の位置よりも低い位置に閉じられる。次いで、ガスストラット１１０の自由端は、ガスストラット力ピンを使用してパネル１０２に再び取り付けられる。次に、パネルを閉位置に下げる。これを行うには、前の段落で述べたパネルを閉じる最初の方法よりもはるかに大きな力が必要であるが、必要に応じて再度展開するように、水門１００を準備する。
【００２７】
一実施形態では、水門１００は、パネル１０２が開位置から閉位置に向かって移動する速度を低減するためのさらなるガスストラット１３０を含む。ガスストラット１３０は、パネル１０２が開位置にあるときに、非動作（すなわち、パネル１０２に対して力を加えない）であり、パネル１０２が閉位置に向かって移動するときに動作（または付勢される）されるように、水門１００に対して構成される。この実施形態では、ガスストラット１３０は、パネル１０２に取り付けられた第１の端部１０３ａおよび第２の端部１３０ｂを有する。ガスストラット１３０は、ガスストラット１３０が完全に伸張した状態にあるとき、パネルが開位置にあるときに第２の端部１３０ｂが任意の当接部から解放されるような寸法にされる（図４、図５および図６）。図９（ａ）および図９（ｂ）は、パネル１０２が閉位置に向かって移動するときの、図６の軸Ｘ−Ｘに沿った水門の切断図である。ガスストラット１３０は、開位置と閉位置との間の中間位置でパネル１０２を支持するように付勢される、パネル１０２とともに配置される（ガスストラット１２０が示されていない図８に示すように）。この場合、ガスストラット１３０は、ガスストラット１３０の第２の端部１３０ｂに当接するように構成されたキャッチ１４０と接触するように構成され、これにより、パネル１０２とキャッチ１４０との間で圧縮されるとパネル１０２に対して力を加える。この特定の例では、ガスストラット１３０は、パネル１０２の前縁（すなわち、内側）表面に対して力を加えて、パネル１０２の重量のためにパネル１０２が閉位置に向かって移動し続けるのを止めるように構成される。例えば、ヒンジ１０４に対向するパネル１０２の縁部は、フロアレベルより約３００ｍｍ上に維持される。ガスストラット１３０により加えられる力に打ち勝つためにパネル１０２に加えられるさらなる外力に応じて、パネル１０２は、中間位置から閉位置に移動し、前述したロック部材によりロック状態に保持される。さらなる外力は、パネル１０２上に踏み込む１人または複数の成人（例えば、避難者）により提供されてもよい。パネル１０２がロック状態になると、建物の居住者の残りは、遮られていない通路を通して安全に避難することができる。好都合なことに、ガスストラット１３０は、パネル１０２の閉鎖中に安全機構として機能するだけでなく、閉位置から開位置へのパネル１０２の初期の持ち上げをも支援する。これは、ガスストラット１１０、１２０から要求される力を低減する。例えば、回転駆動部がパネルを閉じるために使用されないとき、これは、パネルを手動で開くのを助けるであろう。さらに、ガスストラット１３０がパネル１０２の最初の閉鎖の間は停止状態のままであるので、パネル１０２の閉鎖を開始するために、パネル１０２を押すのに必要な手動力を低減するのに役立つ。
【００２８】
図１０〜図１２は、他の実施形態に係る水門システム１０を示す。水門システム１０は、直列に配置された複数の水門１００、２００を含み、それぞれの水門パネル１０２、２０２が立てられて、水門システム１０が起動されると洪水の侵入に対して連続的な障壁を形成する。第１の水門１００は、前述の実施形態で説明した水門１００と同一である。この実施形態では、第１の水門１００は、建物の入り口の２つの対向する側壁１２にそれぞれ近接する２つの第２の水門２００の間に配置される。水門１００と同様に、２つの第２の水門２００のそれぞれは、パネル１０２の２つの対向する側縁２０２ａ、２０２ｂに隣接して配置された２つのガスストラット２１０を有し、パネルの縁部２０２ａ、２０２ｂの近くに力を加える。２つの第２の水門２００のそれぞれは、同様に、パネルとともに配置されたさらなるガスストラット２２０を有し、パネル２０２の中心線に沿って力を加える。他の実施形態では、複数の水門１００、２００の配置は、直線的でなくともよく、すなわち、水門は同じ方向または平行な方向に向けられなくてもよい。その場合、水門パネルは、立てられたとき、洪水に対して連続的な障壁を形成しながら、互いに垂直な異なる垂直面内にある。第２の水門２００は、第１の水門１００とは異なり、第２の水門２００が、ガスストラットを水門２００から離脱させ、パネルが閉位置に向かって移動するとき、ガスストラットがパネルに対して力を加えるのを止めさせるための不活性化機構を有していない。水門１００と同様に、シーリング要素１０３、２０３は、パネル１０２、２０２の縁部に沿って延び、水密性を維持するために密封接触している縁部に設けられている（図１０（ｃ））。この例では、シーリング要素１０３は、加硫性コルゲートＥＰＤＭシールである。
【００２９】
図１１（ａ）および図１１（ｂ）は、水門１００のガスストラット１１０を不活性化する工程を示す水門システムの斜視図である。特に、図１１（ａ）のガスストラットフォークピン１１０ａは、ガスストラット１１０とパネル１０２との間の取り付けを維持するために、パネル１０２上のガスストラットフォークおよびブラケットを貫いて延びる。図１１（ｂ）に示すように、パネル１０２が開位置に向かってさらに上昇すると、ガスストラットフォークピン１１０ａが引き出され、ガスストラット１１０とパネル１０２との間の係合が解除される。
【００３０】
図１３（ａ）〜図１３（ｂ）に示すように、使用中に、建物の入り口（または建物の外側に位置する排水口）の前に水位が上昇した結果としてセンサ１５０が起動すると、オーディオおよび／または視覚警報システム１６０がトリガされ、水門の切迫した起動の警告メッセージを公共に放送するであろう。次いで、水門システム１０が開かれ、侵入する洪水に対する障壁を形成する。センサ１５０は、導電性の水位センサであってもよい。当業者に知られている他のタイプのセンサを使用することができる。先に説明したように、水門１００のための不活性化機構が動作されて、それぞれのガスストラット１１０の一端を切り離し、これにより、パネル１０２が所定の位置に持ち上げられたときに、ガスストラット１１０がパネル１０２に対して力を加えるのを止める。パネル１０２は、引き続き、ガスストラット１２０により完全に起立した位置（垂直または実質的に垂直）に保持され、一方、水門２００は、３つのガスストラット２１０、２２０により持ち上げられ、完全に起立した位置（例えば、垂直または実質的に垂直な位置）に保持される。
【００３１】
図１４（ａ）〜図１４（ｃ）に示されるように、避難の間、水門１００のパネル１０２は、手動で前方に押されて、パネル１０２を閉鎖位置に向かって移動させる。これは、建物から避難するための邪魔にならない通路を作り出す。具体的には、避難者が水門システム１０の水門１００に近づくにつれて、パネル１０２の閉鎖動作を開始するために約２３５Ｎ（２４ｋｇの重さ）の押し込み力を加える、その後、パネル１０２は、中間位置で停止している間に、開位置から閉位置に向かって移動する。避難者がパネル１０２上を踏み込むと、パネル１０２は完全に閉じられ、避難者（およびその後の避難者）が避難を続けると、ロック状態に留まる（図１４（ｂ））。
【００３２】
本発明は、図面および前述の説明において詳細に図示され説明されてきたが、そのような図示および説明は、例示的または例示的であり、限定的なものでないと考えられるべきである。本発明は開示された実施形態に限定されない。開示された実施形態に対する他の変形は、請求の範囲に記載の発明を実施する際に当業者により理解され、達成され得る。
【００３３】
例えば、水門１００が開位置にあるとき、パネル１０２は正確にまたは実質的に垂直である必要はない。
【００３４】
他の例では、不活性化機構は、（ガスストラット１１０の代わりに）パネルの中央に配置されたガスストラット１２０を停止させるように構成されてもよい。ガスストラット１１０、１２０のそれぞれは、パネルに対して異なる力を加えるように構成されてもよい。
【００３５】
また、例えば、パネル１０２が所定の位置に持ち上げられたときに、ガスストラットの端部がガスストラットの端部に接触するように、ガスストラットを水門１００に対して配置することによって、ガスストラット１３０と同様のガスストラット１１０を実現することも可能である。それが地面に当接するかベースフレームが持ち上げられ、それによりパネルに対して力を発揮しなくなる。この場合、ガスストラット自体とそのパネルと地面に対する配置が不活性化機構として機能する。したがって、ガスストラット１１０は、パネルの閉鎖中に怪我を防止するために、水門の安全機構としても機能することができる。
【００３６】
他の例では、水門システム１０は、複数の水門１００を含む（例えば、上述した実施形態の１つでは、水門１００が２００の代わりに使用される）。
【図１（ａ）】
0006578373.tif 000002
【図１（ｂ）】
0006578373.tif 000003
【図２（ａ）】
0006578373.tif 000004
【図２（ｂ）】
0006578373.tif 000005
【図３（ａ）】
0006578373.tif 000006
【図３（ｂ）】
0006578373.tif 000007
【図３（ｃ）】
0006578373.tif 000008
【図４（ａ）】
0006578373.tif 000009
【図４（ｂ）】
0006578373.tif 000010
【図４（ｃ）】
0006578373.tif 000011
【図５】
0006578373.tif 000012
【図６】
0006578373.tif 000013
【図７（ａ）】
0006578373.tif 000014
【図７（ｂ）】
0006578373.tif 000015
【図７（ｃ）】
0006578373.tif 000016
【図７（ｄ）】
0006578373.tif 000017
【図８】
0006578373.tif 000018
【図９（ａ）】
0006578373.tif 000019
【図９（ｂ）】
0006578373.tif 000020
【図１０（ａ）】
0006578373.tif 000021
【図１０（ｂ）】
0006578373.tif 000022
【図１０（ｃ）】
0006578373.tif 000023
【図１１（ａ）】
0006578373.tif 000024
【図１１（ｂ）】
0006578373.tif 000025
【図１２】
0006578373.tif 000026
【図１３（ａ）】
0006578373.tif 000027
【図１３（ｂ）】
0006578373.tif 000028
【図１４（ａ）】
0006578373.tif 000029
【図１４（ｂ）】
0006578373.tif 000030
【図１４（ｃ）】
0006578373.tif 000031